(57)【要約】  刃ユニットに取り付けられた刃２０に実質的に直交する揺動軸Ｂの周りでかみそりのハンドル１２に対して揺動運動するように取り付けられた安全かみそりの刃ユニット１１。刃ユニットは、一組の磁気要素３２、３４、３６によって生成される磁気的戻し力によって休止位置に付勢される。一組の磁気要素は、休止位置から刃ユニットの揺動変位が増大するにつれて戻し力が増大するように配置される。
2011502616.tif 000002
【特許請求の範囲】
【請求項１】
ハンドルと、ガード、キャップ及び少なくとも１つの刃を有する刃ユニットとを備える安全かみそりであって、
前記刃ユニットは、ひげ剃りしている間に、皮膚の輪郭に追従するように、前記少なくとも１つの刃に実質的に直交する揺動軸の周りで前記ハンドルに対して動くように前記ハンドルに取り付けられ、
前記刃ユニットは、休止位置を有し、前記休止位置から離れて前記揺動軸の周りを揺動する時、前記休止位置に向かって戻し力によって付勢され、
前記戻し力は、一組の磁気要素によって生成される磁力を含み、前記一組の磁気要素は、前記少なくとも１つの刃に実質的に直交する前記揺動軸の周りを前記刃ユニットが揺動運動するのに応じて互いに対して動かされ、
前記戻し力は、前記刃ユニットが前記休止位置から離れて揺動するにつれて増大する、安全かみそり。
【請求項２】
前記一組の磁気要素が、前記刃ユニットを前記休止位置に駆動するための反発的な磁気的戻し力を生成するように配置される、請求項１に記載の安全かみそり。
【請求項３】
前記休止位置から前記揺動軸の周りを揺動する角度が増大するにつれて、前記磁気的戻し力のばね定数特性が滑らかに増大する、請求項１に記載の安全かみそりの刃ユニット。
【請求項４】
前記一組の磁気要素が、３つの磁気要素を有する、請求項１に記載の安全かみそり。
【請求項５】
前記一組の磁気要素が、４つの磁気要素を有する、請求項１に記載の安全かみそり。
【請求項６】
前記刃ユニットが、前記少なくとも１つの刃に実質的に平行な第２の揺動軸の周りで前記ハンドルに対して動くように前記ハンドルに取り付けられる、請求項１に記載の安全かみそり。
【請求項７】
ハンドルと、ガード、キャップ及び少なくとも１つの刃を有する刃ユニットとを備える安全かみそりであって、
前記刃ユニットは、ひげ剃りしている間に、皮膚の輪郭に追従するように、前記少なくとも１つの刃に実質的に平行な第１の揺動軸と、前記少なくとも１つの刃に実質的に直交する第２の揺動軸との周りで前記ハンドルに対して動くように前記ハンドルに取り付けられ、
前記刃ユニットは、前記第１の揺動軸に対する第１の休止位置と、前記第２の揺動軸に対する第２の休止位置とを有し、前記第１の休止位置から離れて前記第１の揺動軸の周りを揺動する時、前記休止位置に向かって第１の戻し力によって付勢され、
前記第１の戻し力は、第１の組の磁気要素によって生成される磁力を含み、前記第１の組の磁気要素は、前記少なくとも１つの刃に実質的に平行な前記第１の揺動軸の周りを前記刃ユニットが揺動運動するのに応じて互いに対して動かされ、
前記戻し力は、前記刃ユニットが前記第１の休止位置から離れて揺動するにつれて増大し、
前記刃ユニットは、前記第２の休止位置から離れて前記第２の揺動軸の周りを揺動する時、前記休止位置に向かって第２の戻し力によって付勢され、
前記第２の戻し力は、第２の組の磁気要素によって生成される磁力を含み、前記第２の組の磁気要素は、前記第１の揺動軸とは異なる前記第２の揺動軸の周りを前記刃ユニットが揺動運動するのに応じて互いに対して動かされ、
前記戻し力は、前記刃ユニットが前記第２の休止位置から離れて揺動するにつれて増大する、安全かみそり。
【請求項８】
前記第２の組の磁気要素が、前記刃ユニットを前記第２の休止位置に駆動するための反発的な磁気的戻し力を生成するように配置される、請求項７に記載の安全かみそり。
【請求項９】
前記第１の組の磁気要素が、第１の磁気要素と第２の磁気要素とを含み、前記第１の磁気要素は、前記キャップに隣接する前記刃ユニットに取り付けられる、請求項７に記載の安全かみそり。
【請求項１０】
前記刃ユニットが、ハブから延びる対向した１対のアームによって揺動可能に支持され、前記第２の磁気要素が前記ハブに配置される、請求項９に記載の安全かみそり。
【請求項１１】
前記第１の揺動軸が、前記少なくとも１つの刃の前に配置される、請求項９に記載の安全かみそりの刃ユニット。
【請求項１２】
前記第１の揺動軸が、前記ガード及び前記キャップに対する接平面の下方に配置される、請求項７に記載の安全かみそりの刃ユニット。
【請求項１３】
前記第１の休止位置から前記第１の揺動軸の周りを揺動する角度が増大するにつれて、前記磁気的戻し力のばね定数特性が滑らかに増大する、請求項７に記載の安全かみそりの刃ユニット。
【請求項１４】
前記第２の休止位置から前記第２の揺動軸の周りを揺動する角度が増大するにつれて、前記磁気的戻し力のばね定数特性が滑らかに増大する、請求項７に記載の安全かみそりの刃ユニット。
【請求項１５】
前記第１の揺動軸が、前記第２の揺動軸に実質的に直交する、請求項７に記載の安全かみそりの刃ユニット。
【発明の詳細な説明】
【技術分野】
【０００１】
本発明は安全かみそりに関し、特に、鋭い刃先を有する少なくとも１つの刃を含む安全かみそりの刃ユニットが、ひげ剃りしている間に、刃ユニットに働く力の下でハンドルに対して揺動運動可能であるように、かみそりのハンドルに取り付けられる、安全かみそりに関する。刃ユニットは、複数の刃、例えば２つ、３つ又は４つ以上の刃を有してもよく、まっすぐ平行な刃先は、やはり刃ユニット上に設けられたガード表面とキャップ表面との間で皮膚と接触するように配置される。ガードは、表面形状、例えば、フィン形状等の直立突起部を有するエラストマー材料のストリップを含んで、ひげ剃りストローク実行中に刃ユニットが皮膚を横切って移動する際に皮膚と所望の相互作用を作り出してもよい。キャップ表面は、潤滑剤等のひげ剃り向上製品を含む材料のストリップを含んでもよく、その向上製品は、ひげ剃りしている間に、皮膚に塗布されるように、ストリップ材から徐々に浸出することができる。安全かみそりの刃ユニットは、刃の鋭さが満足できないレベルまで低下した時に新しい刃ユニットに交換されるように、かみそりのハンドルに取り外し可能に取り付けられてもよい。あるいは、１つ又は複数の刃が鈍くなった時に、かみそり全体を廃棄する意図をもってハンドルに対して永久的に接続されてもよい。取り外し可能及び交換可能な刃ユニットは一般に、ひげ剃りカートリッジと呼ばれる。
【背景技術】
【０００２】
本発明は、１つ又は複数の刃の刃先に実質的に直交する軸の周りを揺動運動可能に配置された刃ユニットを有する安全かみそりに関する。揺動運動によって刃ユニットがより容易に皮膚の輪郭に追従できるので、良好なひげ剃りの性能及び効率を達成するために、皮膚に対してハンドルが保持される正確な角度はそれほど重要ではない。揺動可能な刃ユニットを有するかみそりは、成功裡に長年市販されてきた。従来の揺動軸は、通常刃の刃先に平行して延在し、ハンドルが刃ユニットに接続されることによる揺動構造によって画定することができる。あるいは、刃ユニットは取り付け部材を含んでもよく、その取り付け部材に１つ又は複数の刃及び他の皮膚接触部を組み込むフレーム又はハウジングが揺動可能に連結される。この形態の刃ユニットは、参照によりその内容が本書に組み込まれる国際公開特許第ＷＯ９７／３７８１９号に記載されるが、これは、ハンドルの上部端と係合するためのハブと、フレームの両端に設けられたソケット内に係合するように揺動ジャーナルが両端に設けられた反対方向に向いた１対のアームとを備えたヨークの一般形態の取り付け部材を有する。揺動ジャーナルをソケット内に維持するために、保持クリップがフレームの対応する端部の周りに適用される。
【０００３】
刃先に実質的に平行な単一軸の周りで揺動運動するように取り付けられた刃ユニットを有するかみそりが提案されている。刃ユニットは、磁石によって生成される磁気的戻し力（magnetic return force）によって休止位置に付勢される。刃先に実質的に平行な単一軸の周りでの揺動運動は、ひげ剃りしている間に、刃ユニットがより容易に皮膚の輪郭に追従できるように、皮膚とのある程度の適合性を提供する。しかしながら、刃ユニットが単一軸の周りを揺動する能力に限度があるので、刃ユニットは、ひげ剃りしている間に、しばしば皮膚から離れる。
【先行技術文献】
【特許文献】
【０００４】
【特許文献１】国際公開特許第ＷＯ９７／３７８１９号
【発明の概要】
【発明が解決しようとする課題】
【０００５】
本発明は、刃先に実質的に直交する揺動軸の周りで磁気的戻し力を用いて、ひげ剃りしている間の刃ユニットのユーザーの皮膚との適合性を向上させることで、この欠点に対処する。
【課題を解決するための手段】
【０００６】
本発明によって、ハンドルと、ガード、キャップ及び少なくとも１つの刃を有する刃ユニットとを備える安全かみそりが提供される。刃ユニットは、ひげ剃りしている間に、皮膚の輪郭に追従できるように、少なくとも１つの刃に実質的に直交する揺動軸の周りでハンドルに対して動くようにハンドルに取り付けられる。刃ユニットは、休止位置を有し、その休止位置から離れて揺動軸の周りを揺動する時、その休止位置に向かって戻し力によって付勢される。戻し力は、一組の磁気要素によって生成される磁力を含み、その一組の磁気要素は、少なくとも１つの刃に実質的に直交する揺動軸の周りを刃ユニットが揺動運動するのに応じて互いに対して動かされる。戻し力は、刃ユニットが休止位置から離れて揺動するにつれて増大する。
【０００７】
更に、ハンドルと、ガード、キャップ及び少なくとも１つの刃を有する刃ユニットとを備える安全かみそりが提供される。刃ユニットは、ひげ剃りしている間に、皮膚の輪郭に追従するように、第１の揺動軸と、第２の揺動軸との周りでハンドルに対して動くようにハンドルに取り付けられる。刃ユニットは、第１の休止位置と、第２の休止位置とを有し、それらの休止位置に向かって第１の戻し力と第２の戻し力とによって付勢される。第１の戻し力は、刃ユニットが第１の休止位置から離れて第１の揺動軸の周りを揺動する時に生じる。第１の戻し力は、第１の組の磁気要素によって生成される磁力を含み、その第１の組の磁気要素は、少なくとも１つの刃に実質的に平行な第１の揺動軸の周りを刃ユニットが揺動運動するのに応じて互いに対して動かされる。第１の戻し力は、刃ユニットが第１の休止位置から離れて揺動するにつれて増大する。第２の戻し力は、刃ユニットが第２の休止位置から離れて第２の揺動軸の周りを揺動する時に生じる。第２の戻し力は、第２の組の磁気要素によって生成される磁力を含み、その第２の組の磁気要素は、前記第１の揺動軸とは異なる第２の揺動軸の周りを刃ユニットが揺動運動するのに応じて互いに対して動かされる。第２の戻し力は、刃ユニットが第２の休止位置から離れて揺動するにつれて増大する。
【０００８】
磁気的に生成される戻し力を使用することで、非常に滑らかで一貫して復元可能な揺動運動を確保することができる。磁力は、磁気要素によって便利に生成されることができ、その磁気要素は、ハンドルに対する刃ユニットの揺動運動に応じて互いに対して動かされ、反発的に相互作用して刃ユニットを対応する休止位置に駆動する。
【０００９】
好ましくは、第１の組の磁気要素は、刃ユニットを第１の休止位置に駆動するための反発的な磁気的戻し力を生成するように配置される。同様に、第２の組の磁気要素は、刃ユニットを第２の休止位置に駆動するための反発的な磁気的戻し力を生成するように配置される。
【００１０】
第１の組の磁気要素は、第１の磁気要素と第２の磁気要素とを含んでもよく、第１の磁気要素は、キャップに隣接する刃ユニットに取り付けられる。しかしながら、第１の組の磁気要素は、例えば、対向した２組のペアなどの２つを超える磁気要素を含んでもよい。
【００１１】
好都合には、刃ユニットは、ハブから延びる対向した１対のアームによって揺動可能に支持され、第２の磁気要素はハブに配置される。
【００１２】
第１の揺動軸は、好ましくは、前記少なくとも１つの刃の前に配置される。第１の揺動軸は、ガード及びキャップに対する接平面の下方に配置されてもよい。
【００１３】
有利には、第１の戻し力及び第２の戻し力を生成する磁気要素は、第１の休止位置及び第２の休止位置から第１の揺動軸及び第２の揺動軸の周りを揺動する角度が増大するにつれて、磁気的戻し力のばね定数特性が滑らかに増大するように配置される。本発明の更なる利点は、異なる磁気力の磁気要素を使用することで、戻し力の強さを容易に変更することができることである。
【００１４】
第１の揺動軸は、好ましくは、第２の揺動軸に実質的に直交するように配置される。
【００１５】
磁気要素は好都合には永久磁石であり得るが、磁気要素の少なくとも１つは電磁気要素を含むことができ、その場合には、電磁気要素に供給される電磁化電流を調節するために、制御装置を設けることができる。センサーが、例えば、刃ユニットの休止位置からの揺動変位を検知するために提供されてもよく、制御装置はセンサーからの出力に反応することができる。
【００１６】
第２の組の磁気要素は、好ましくは、第３の磁気要素、第４の磁気要素、及び第５番の磁気要素を有する。第２の組の磁気要素は、第６の磁気要素を有してもよい。
【００１７】
第３の磁気要素がハンドルに取り付けられ、第４の磁石及び第５の磁石が刃ユニットに取り付けられてもよい。あるいは、第３の磁気要素が刃ユニットに取り付けられ、第４の磁石及び第５の磁石がハンドルに取り付けられてもよい。
【図面の簡単な説明】
【００１８】
本明細書は、本発明をなすとみなされる主題を具体的に指摘しかつ明確に主張する特許請求の範囲を結論とするが、本発明は、添付の図面と関連してなされた以下の説明により、更に理解されると考えられる。
【図１】本発明による安全かみそりの側面図。
【図２】図１に示す安全かみそりの後方斜視図。
【図３】図１に示す安全かみそりのハンドルの平面図。
【図４】図１に示す安全かみそりの刃ユニットを一部切りとった底面図。
【図５】本発明の別の安全かみそりのハンドルの平面図。
【図６】図５の安全かみそりの対応する刃ユニットを一部切りとった底面図。
【図７】本発明の別の安全かみそりのハンドルの平面図。
【図８】図７の安全かみそりの対応する刃ユニットを一部切りとった底面図。
【発明を実施するための形態】
【００１９】
図１〜４に示す安全かみそり１０は、ハンドル１２上に取り付けられた刃ユニット１１を有する。刃ユニット１１は、当該技術分野において周知であるように、ガード１４とキャップ１５とを有するフレーム１３と、互いに平行な刃先を有する、ガード１４とキャップ１５との間に配置された複数の刃２０とを含む。
【００２０】
刃２０は、互いに独立して可動であり、ひげ剃りしている間に、皮膚に接する刃の力を決定するばね１９によって、ガード１４及びキャップ１５の表面に対する接平面に対して上方に駆動される。ガード１４は、好ましくは、フィン等の突起部を有するエラストマー材料のストリップを含み、キャップ１５は、周知の皮膚用ひげ剃り向上製品を塗布するためのストリップを含んでもよい。
【００２１】
刃ユニット１１は、ハブ１７を含む取り付け部材１６を備えている。刃ユニット１１の取り付け部材１６は、ピン２１によってハンドル１２に揺動可能に取り付けられている。ハブ１７は、取り付け部材１６上に取り外し可能にクリップで留められる。ハブ１７は、両端に揺動ジャーナルを有する対向した１対のヨークアーム１８を含み、その揺動ジャーナルはフレーム１３の両端に設けられたソケット内に挿入される。ジャーナルは、フレーム１３の両端の周りに適用された金属クリップによってソケット内に保持される。ジャーナル及びソケットは第１の揺動軸Ａを画定し、その周りを刃ユニット１１がハンドル１２に対して揺動することができる。第１の揺動軸Ａは、好ましくは、刃の前かつガード１４及びキャップ１５の表面に対する接平面の下方であるが、他の揺動位置も可能である。第１の揺動軸Ａは、複数の刃２０と実質的に平行である。ソケットはストップ面を含んでおり、図に示されているように、フレーム１３が刃ユニットの第１の休止位置に対応して端部揺動位置にある時、そのストップ面にアーム１８が当接する。この第１の休止位置から離れる刃ユニット１１の揺動運動は、第１の小さい永久磁石２２及び第２の小さい永久磁石２４の形態の対向した第１の組の磁気要素によって生成される戻し力によって抵抗される。第１の磁石２２は、キャップ１５に隣接するフレーム１３の下側に固定され、第２の磁石２４はハブ１７に固定される。第１の磁石２２及び第２の磁石２４は、同種極と互いに面するように位置決めされ、その結果、刃ユニット１１が矢印２６で示されるように第１の休止位置から離れて揺動する結果として磁石が互いに向かって動く時、刃ユニット１１を第１の休止位置に戻すように作用する増大する強度の反動力が磁石間で生成される。増大する反動力は、刃ユニット１１を休止位置に戻すように作用する非線形応答である。刃ユニットが第１の揺動軸Ａの周りを休止位置から完全な揺動範囲まで揺動する時、トルク範囲は約０〜約１５Ｎｍｍである。他のより大きいトルク範囲及びより小さいトルク範囲が、所望に応じて使用されてもよい。磁石間の間隔、揺動軸からの磁石の間隔、使用する磁石の強さ及び数を変えることによって、トルクを変えることができる。
【００２２】
好ましくは、刃ユニット１１は、第１の揺動軸Ａの周りを約４５°までの揺動範囲を有する。他のより大きい揺動範囲及びより小さい揺動範囲が、所望に応じて使用されてもよい。
【００２３】
ピン２１は第２の揺動軸Ｂを画定し、その周りを刃ユニット１１がハンドル１２に対して揺動することができる。第２の揺動軸Ｂは、好ましくは、フレーム１３の後方及び取り付け部材１６の内部にある。
【００２４】
第２の揺動軸Ｂは、複数の刃２０及び第１の揺動軸Ａに実質的に直交する。刃ユニット１１は、図２において第２の休止位置で示される。この第２の休止位置から離れる刃ユニット１１の第２の揺動軸Ｂの周りの揺動運動は、対向した第２の組の磁気要素によって生成される戻し力によって抵抗される。
【００２５】
対向した第２の組の磁気要素は、第３の小さい永久磁石３２、第４の小さい永久磁石３４、及び第５の小さい永久磁石３６の形態である。第３の磁石３２は、ハンドル１２の上側に固定される。第４の磁石３４及び第５の磁石３６は、取り付け部材１６の下側に固定される。第３の磁石３２及び第４の磁石３４は、同種極と互いに面するように位置決めされ、その結果、刃ユニット１１が矢印４０で示されるように（図１）第２の休止位置から離れて揺動する結果として磁石が互いに向かって動く時、刃ユニット１１を第２の休止位置に戻すように作用する増大する強度の反動力が磁石間で生成される。第２の休止位置において、第３の磁石３２及び第４の磁石３４は重ねて置かれるのではなく、互いからずらして置かれる。
【００２６】
第３の磁石３２及び第５の磁石３６は、同種極と互いに面するように位置決めされ、その結果、刃ユニット１１が矢印４２で示されるように（図１）第２の休止位置から離れて揺動する結果として磁石が互いに向かって動く時、刃ユニット１１を第２の休止位置に戻すように作用する増大する強度の反動力が磁石間で生成される。第２の休止位置において、第３の磁石３２及び第５の磁石３６は重ねて置かれるのではなく、互いからずらして置かれる。増大する反動力は、刃ユニット１１を休止位置に戻すように作用する非線形応答である。刃ユニットが第２の揺動軸Ｂの周りを何れかの方向にその休止位置から完全な揺動範囲まで揺動する時、トルク範囲は約０〜約１５Ｎｍｍである。他のより大きいトルク範囲及びより小さいトルク範囲が、所望に応じて使用されてもよい。磁石間の間隔、揺動軸からの磁石の間隔、使用する磁石の強さ及び数を変えることによって、トルクを変えることができる。
【００２７】
好ましくは、刃ユニット１１は、第２の揺動軸Ｂの周りを約３０°までの揺動範囲を有する。３０°の範囲は、矢印４０で示された方向に１５°の揺動範囲及び矢印４２で示された方向に１５°の揺動範囲を含む。他のより大きい揺動範囲及びより小さい揺動範囲が、所望に応じて使用されてもよい。
【００２８】
ここで図５〜６を参照すると、本発明の安全かみそりの別の実施形態が示されている。対向した第２の組の磁気要素は、第３の小さい永久磁石３２、第４の小さい永久磁石３４、及び第５の小さい永久磁石３６の形態である。第３の磁石３２は、取り付け部材１６の下側に固定される。第４の磁石３４及び第５の磁石３６は、ハンドル１２の上側に固定される。第３の磁石３２及び第４の磁石３４は、同種極と互いに面するように位置決めされ、その結果、刃ユニット１１が矢印４０で示されるように（図１）第２の休止位置から離れて揺動する結果として磁石が互いに向かって動く時、刃ユニット１１を第２の休止位置に戻すように作用する増大する強度の反動力が磁石間で生成される。第２の休止位置において、第３の磁石３２及び第４の磁石３４は重ねて置かれるのではなく、互いからずらして置かれる。
【００２９】
第３の磁石３２及び第５の磁石３６は、同種極と互いに面するように位置決めされ、その結果、刃ユニット１１が矢印４２で示されるように（図１）第２の休止位置から離れて揺動する結果として磁石が互いに向かって動く時、刃ユニット１１を第２の休止位置に戻すように作用する増大する強度の反動力が磁石間で生成される。第２の休止位置において、第３の磁石３２及び第５の磁石３６は重ねて置かれるのではなく、互いからずらして置かれる。増大する反動力は、刃ユニット１１を休止位置に戻すように作用する非線形応答である。刃ユニットが第２の揺動軸Ｂの周りを何れかの方向にその休止位置から完全な揺動範囲まで揺動する時、トルク範囲は約０〜約１５Ｎｍｍである。他のより大きいトルク範囲及びより小さいトルク範囲が、所望に応じて使用されてもよい。磁石間の間隔、揺動軸からの磁石の間隔、使用する磁石の強さ及び数を変えることによって、トルクを変えることができる。
【００３０】
好ましくは、刃ユニット１１は、第２の揺動軸Ｂの周りを約３０°までの揺動範囲を有する。３０°の範囲は、矢印４０で示された方向に１５°の揺動範囲及び矢印４２で示された方向に１５°の揺動範囲を含む。他のより大きい揺動範囲及びより小さい揺動範囲が、所望に応じて使用されてもよい。
【００３１】
ここで図７〜８を参照すると、本発明の安全かみそりの別の実施形態が示されている。対向した第２の組の磁気要素は、第３の小さい永久磁石３２、第４の小さい永久磁石３４、第５の小さい永久磁石３６、及び第６の小さい永久磁石３８の形態である。第３の磁石３２及び第６の磁石３８は、取り付け部材１６の下側に固定される。第４の磁石３４及び第５の磁石３６は、ハンドル１２の上側に固定される。第３の磁石３２及び第４の磁石３４は、同種極と互いに面するように位置決めされ、その結果、刃ユニット１１が矢印４０で示されるように（図１）第２の休止位置から離れて揺動する結果として磁石が互いに向かって動く時、刃ユニット１１を第２の休止位置に戻すように作用する増大する強度の反動力が磁石間で生成される。第２の休止位置において、第３の磁石３２及び第４の磁石３４は重ねて置かれるのではなく、互いからずらして置かれる。
【００３２】
第５の磁石３６及び第６の磁石３８は、同種極と互いに面するように位置決めされ、その結果、刃ユニット１１が矢印４２で示されるように（図１）第２の休止位置から離れて揺動する結果として磁石が互いに向かって動く時、刃ユニット１１を第２の休止位置に戻すように作用する増大する強度の反動力が磁石間で生成される。第２の休止位置において、第５の磁石３６及び第６の磁石３８は重ねて置かれるのではなく、互いからずらして置かれる。増大する反動力は、刃ユニット１１を休止位置に戻すように作用する非線形応答である。刃ユニットが第２の揺動軸Ｂの周りを何れかの方向にその休止位置から完全な揺動範囲まで揺動する時、トルク範囲は約０〜約１５Ｎｍｍである。他のより大きいトルク範囲及びより小さいトルク範囲が、所望に応じて使用されてもよい。磁石間の間隔、揺動軸からの磁石の間隔、使用する磁石の強さ及び数を変えることによって、トルクを変えることができる。
【００３３】
好ましくは、刃ユニット１１は、第２の揺動軸Ｂの周りを約３０°までの揺動範囲を有する。３０°の範囲は、矢印４０で示された方向に１５°の揺動範囲及び矢印４２で示された方向に１５°の揺動範囲を含む。他のより大きい揺動範囲及びより小さい揺動範囲が、所望に応じて使用されてもよい。
【００３４】
本発明の更なる利点は、異なる磁気力の磁気要素を使用することで、戻し力の強さを容易に変更することができることである。
【００３５】
本発明を具体化するかみそりの戻し力の特性は、揺動角度が対応する休止位置から増大するにつれて、戻し力の特性の有効なばね定数が徐々に増大して、最大まで滑らかに増大する。更に、第１の休止位置及び第２の休止位置に向かって戻る揺動運動中に、戻し力の特性曲線は反対方向の揺動運動に関する曲線に密着して追従するので、刃ユニットがひげ剃りストロークの実行中に揺動する方向の逆転を受けるかのように、戻し力が特定の揺動変位に対して常に一貫しており、滑らかな揺動運動が実現される。
【００３６】
説明された実施形態への修正は、本発明の原理から逸脱することなく当然可能である。したがって、具体的に説明された実施形態は、非限定例としてのみ示されたものであり、本発明は以下の特許請求の範囲によってのみ限定されるべきであることを意図されていることを理解すべきである。上述の実施形態では永久磁石が用いられたが、電磁気要素もまた磁気的戻し力を生成するために使用することができる。かみそりが、振動生成機構を駆動させるモータ等の電気装置に電流を供給するための電池等の電源を含んでいる場合、この選択肢は便利であり得る。更に、制御装置は、例えば刃ユニットの休止位置からの揺動運動を検知するセンサーからの出力信号に応じて、電磁気要素に伝送される電流を調節して、刃ユニットの揺動変位の増大に応じた磁気的戻し力の所望の増大を得ることができる。
【００３７】
本明細書に開示されている寸法及び値は、列挙した正確な数値に厳しく制限されるものとして理解すべきではない。それよりむしろ、特に指定されない限り、各こうした寸法は、列挙された値とその値周辺の機能的に同等の範囲の両方を意味することを意図する。例えば、「４０ｍｍ」として開示される寸法は、「約４０ｍｍ」を意味するものとする。
【００３８】
「発明を実施するための形態」で引用した全ての文献は、関連部分において本明細書に参考として組み込まれるが、いずれの文献の引用も、それが本発明に関して先行技術であることを容認するものとして解釈すべきではない。本書における用語のいずれかの意味又は定義が、参考として組み込まれた文献における同一の用語のいずれかの意味又は定義と相反する限りにおいては、本書においてその用語に与えられた意味又は定義が適用されるものとする。
【００３９】
本発明の特定の諸実施形態を図示し、記載したが、本発明の趣旨及び範囲から逸脱することなく他の様々な変更及び修正を実施できることが当業者には自明である。したがって、本発明の範囲内にあるそのような全ての変更及び修正を添付の特許請求の範囲で扱うものとする。
【図１】
2011502616.tif 000003
【図２】
2011502616.tif 000004
【図３】
2011502616.tif 000005
【図４】
2011502616.tif 000006
【図５】
2011502616.tif 000007
【図６】
2011502616.tif 000008
【図７】
2011502616.tif 000009
【図８】
2011502616.tif 000010
【手続補正書】
【提出日】平成22年5月31日(2010.5.31)
【手続補正１】
【補正対象書類名】図面
【補正対象項目名】全図
【補正方法】変更
【補正の内容】
【図１】
2011502616.tif 000011
【図２】
2011502616.tif 000012
【図３】
2011502616.tif 000013
【図４】
2011502616.tif 000014
【図５】
2011502616.tif 000015
【図６】
2011502616.tif 000016
【図７】
2011502616.tif 000017
【図８】
2011502616.tif 000018
【国際調査報告】
2011502616.tif 000019
2011502616.tif 000020